(57)【特許請求の範囲】
【請求項１】
情報処理装置と画像形成装置とが通信可能に接続された画像形成システムであって、
前記情報処理装置は、
ユーザ識別情報を予め記憶する記憶部と、
画像形成出力の委譲先を示す委譲先識別情報の入力を受け付ける入力部と、
前記入力部で前記委譲先識別情報の入力を受け付けた場合には、前記委譲先識別情報を第１の認証情報として送信データを生成し、前記入力部で前記委譲先識別情報の入力を受け付けていない場合には、前記記憶部に記憶されているユーザ識別情報を第１の認証情報として、送信データを生成するデータ生成部と、
前記データ生成部により生成された送信データを前記画像形成装置に送信する送信部と、を備え、
前記画像形成装置は、
第２の認証情報と、第１の識別情報とを対応付けた対応表を記憶する記憶部と、
前記第１の識別情報を取得する取得部と、
前記送信データを受信する受信部と、
前記受信部で受信された送信データに含まれている前記第１の認証情報を用いて認証を行い、当該認証が成功した場合に前記受信部で受信された送信データに基づく画像形成を許可する認証部と、
前記認証部で許可された送信データに基づいて、記録媒体に画像形成を行う画像形成部と、を備え、
前記認証部は、前記記憶部に記憶されている対応表を参照して、前記取得部で取得された第１の識別情報に対応する第２の認証情報を特定し、当該特定された第２の認証情報と、前記受信部で受信された送信データに含まれている第１の認証情報とが対応したものである場合に、前記認証を成功であると判断すること
を特徴とする画像形成システム。
【請求項２】
情報処理装置と画像形成装置とが通信可能に接続された画像形成システムであって、
前記情報処理装置は、
ユーザ識別情報を予め記憶する記憶部と、
画像形成出力の委譲先を示す委譲先識別情報の入力を受け付ける入力部と、
前記入力部で前記委譲先識別情報の入力を受け付けた場合には、前記委譲先識別情報を第１の認証情報として送信データを生成し、前記入力部で前記委譲先識別情報の入力を受け付けていない場合には、前記記憶部に記憶されているユーザ識別情報を第１の認証情報として、送信データを生成するデータ生成部と、
前記データ生成部により生成された送信データを前記画像形成装置に送信する送信部と、を備え、
前記画像形成装置は、
第２の認証情報と、第２の識別情報とを対応付けた対応表を記憶する記憶部と、
前記第２の識別情報の入力を受け付ける操作部と、
前記送信データを受信する受信部と、
前記受信部で受信された送信データに含まれている前記第１の認証情報を用いて認証を行い、当該認証が成功した場合に前記受信部で受信された送信データに基づく画像形成を許可する認証部と、
前記認証部で許可された送信データに基づいて、記録媒体に画像形成を行う画像形成部と、を備え、
前記認証部は、前記記憶部に記憶されている対応表を参照して、前記操作部に入力された第２の識別情報に対応する第２の認証情報を特定し、当該特定された第２の認証情報と、前記受信部で受信された送信データに含まれている第１の認証情報とが対応したものである場合に、前記認証を成功であると判断すること
を特徴とする画像形成システム。
【請求項３】
情報処理装置と画像形成装置とが通信可能に接続された画像形成システムであって、
前記情報処理装置は、
ユーザ識別情報を予め記憶する記憶部と、
画像形成出力の委譲先を示す委譲先識別情報の入力を受け付ける入力部と、
前記入力部で前記委譲先識別情報の入力を受け付けた場合には、前記委譲先識別情報を第１の認証情報として送信データを生成し、前記入力部で前記委譲先識別情報の入力を受け付けていない場合には、前記記憶部に記憶されているユーザ識別情報を第１の認証情報として、送信データを生成するとともに、当該送信データを生成した時刻を作成時刻として当該送信データに含めるデータ生成部と、
前記データ生成部により生成された送信データを前記画像形成装置に送信する送信部と、を備え、
前記画像形成装置は、
第２の認証情報と、第２の識別情報とを対応付けた対応表、及び、予め定められた時間帯毎に予め定められた期限を示す期限情報を記憶する記憶部と、
前記第２の識別情報の入力を受け付ける操作部と、
前記送信データを受信する受信部と、
前記受信部で受信された送信データに含まれている前記第１の認証情報を用いて認証を行い、当該認証が成功した場合に前記受信部で受信された送信データに基づく画像形成を許可する認証部と、
前記認証部で許可された送信データに基づいて、記録媒体に画像形成を行う画像形成部と、を備え、
前記認証部は、
前記記憶部に記憶されている対応表を参照して、前記操作部に入力された第２の識別情報に対応する第２の認証情報を特定し、当該特定された第２の認証情報と、前記受信部で受信された送信データに含まれている第１の認証情報とが対応したものとなる第１の条件と、
前記記憶部に記憶されている期限情報を参照して、前記受信部で受信された送信データに含まれている作成時刻からの経過時間が、前記受信部で受信された送信データに含まれている作成時刻が含まれる時間帯に対応する期限内である第２の条件と、の両方の条件を満たす場合には、前記認証を成功であると判断すること
を特徴とする画像形成システム。
【請求項４】
前記取得部は、認証媒体から情報を読み取る読み取り部であること
を特徴とする請求項１に記載の画像形成システム。
【請求項５】
前記認証媒体は、非接触型カードであること
を特徴とする請求項４に記載の画像形成システム。
【請求項６】
前記認証媒体は、ＵＳＢデバイスであること
を特徴とする請求項４に記載の画像形成システム。
【請求項７】
前記認証部は、前記第１の認証情報に基づいて認証を受けたユーザに課金を行う課金データを生成すること
を特徴とする請求項１から６の何れか一項に記載の画像形成システム。
【請求項８】
前記データ生成部は、前記画像形成装置の記憶部に記憶されているユーザ識別情報を送信データに含め、
前記認証部は、前記ユーザ識別情報に対応するユーザに課金を行う課金データを生成すること
を特徴とする請求項１から６の何れか一項に記載の画像形成システム。
【発明の詳細な説明】
【技術分野】
【０００１】
本発明は、画像形成システム及び情報処理装置に関する。
【背景技術】
【０００２】
画像形成装置が受信した印刷データに付加されたユーザ識別情報と、画像形成装置に接続されたＩＣカード読取装置を用いてＩＣカードから読み取られたユーザ識別情報とを照合し、両者が一致した場合に印刷データの印刷を行う画像形成システムがある。
従来、この種の画像形成システムとしては、特許文献１に開示されたものがある。特許文献１に記載された画像形成システムは、印刷データを送信する利用者と、印刷出力を取得する利用者とが同一人物であることを前提としている。
【先行技術文献】
【特許文献】
【０００３】
【特許文献１】特開２００５−３３５２８２号公報
【発明の概要】
【発明が解決しようとする課題】
【０００４】
しかしながら、特許文献１に記載された画像形成システムでは、印刷データを送信する利用者が、他の利用者に対して印刷出力を委譲する手段が提供されていないという問題があった。例えば、社長が送信した印刷データの印刷出力を秘書に委譲する手段が提供されていない。このため、特許文献１に記載された画像形成システムでは、秘書が印刷出力を取得する場合には、社長のＩＣカードを秘書に貸与する必要があった。
【０００５】
そこで、本発明は、認証により画像形成の結果を出力する場合に、画像形成の結果を出力する権利を他の者に委譲できるようにすることを目的とする。
【課題を解決するための手段】
【０００６】
本発明の第１の態様に係る画像形成システムは、情報処理装置と画像形成装置とが通信可能に接続された画像形成システムであって、前記情報処理装置は、ユーザ識別情報を予め記憶する記憶部と、画像形成出力の委譲先を示す委譲先識別情報の入力を受け付ける入力部と、前記入力部で前記委譲先識別情報の入力を受け付けた場合には、前記委譲先識別情報を第１の認証情報として送信データを生成し、前記入力部で前記委譲先識別情報の入力を受け付けていない場合には、前記記憶部に記憶されているユーザ識別情報を第１の認証情報として、送信データを生成するデータ生成部と、前記データ生成部により生成された送信データを前記画像形成装置に送信する送信部と、を備え、前記画像形成装置は、第２の認証情報と、第１の識別情報とを対応付けた対応表を記憶する記憶部と、前記第１の識別情報を取得する取得部と、前記送信データを受信する受信部と、前記受信部で受信された送信データに含まれている前記第１の認証情報を用いて認証を行い、当該認証が成功した場合に前記受信部で受信された送信データに基づく画像形成を許可する認証部と、前記認証部で許可された送信データに基づいて、記録媒体に画像形成を行う画像形成部と、を備え、前記認証部は、前記記憶部に記憶されている対応表を参照して、前記取得部で取得された第１の識別情報に対応する第２の認証情報を特定し、当該特定された第２の認証情報と、前記受信部で受信された送信データに含まれている第１の認証情報とが対応したものである場合に、前記認証を成功であると判断することを特徴とする。
また、本発明の第２の態様に係る画像形成システムは、情報処理装置と画像形成装置とが通信可能に接続された画像形成システムであって、前記情報処理装置は、ユーザ識別情報を予め記憶する記憶部と、画像形成出力の委譲先を示す委譲先識別情報の入力を受け付ける入力部と、前記入力部で前記委譲先識別情報の入力を受け付けた場合には、前記委譲先識別情報を第１の認証情報として送信データを生成し、前記入力部で前記委譲先識別情報の入力を受け付けていない場合には、前記記憶部に記憶されているユーザ識別情報を第１の認証情報として、送信データを生成するデータ生成部と、前記データ生成部により生成された送信データを前記画像形成装置に送信する送信部と、を備え、前記画像形成装置は、第２の認証情報と、第２の識別情報とを対応付けた対応表を記憶する記憶部と、前記第２の識別情報の入力を受け付ける操作部と、前記送信データを受信する受信部と、前記受信部で受信された送信データに含まれている前記第１の認証情報を用いて認証を行い、当該認証が成功した場合に前記受信部で受信された送信データに基づく画像形成を許可する認証部と、前記認証部で許可された送信データに基づいて、記録媒体に画像形成を行う画像形成部と、を備え、前記認証部は、前記記憶部に記憶されている対応表を参照して、前記操作部に入力された第２の識別情報に対応する第２の認証情報を特定し、当該特定された第２の認証情報と、前記受信部で受信された送信データに含まれている第１の認証情報とが対応したものである場合に、前記認証を成功であると判断することを特徴とする。
さらに、本発明の第３の態様に係る画像形成システムは、情報処理装置と画像形成装置とが通信可能に接続された画像形成システムであって、前記情報処理装置は、ユーザ識別情報を予め記憶する記憶部と、画像形成出力の委譲先を示す委譲先識別情報の入力を受け付ける入力部と、前記入力部で前記委譲先識別情報の入力を受け付けた場合には、前記委譲先識別情報を第１の認証情報として送信データを生成し、前記入力部で前記委譲先識別情報の入力を受け付けていない場合には、前記記憶部に記憶されているユーザ識別情報を第１の認証情報として、送信データを生成するとともに、当該送信データを生成した時刻を作成時刻として当該送信データに含めるデータ生成部と、前記データ生成部により生成された送信データを前記画像形成装置に送信する送信部と、を備え、前記画像形成装置は、第２の認証情報と、第２の識別情報とを対応付けた対応表、及び、予め定められた時間帯毎に予め定められた期限を示す期限情報を記憶する記憶部と、前記第２の識別情報の入力を受け付ける操作部と、前記送信データを受信する受信部と、前記受信部で受信された送信データに含まれている前記第１の認証情報を用いて認証を行い、当該認証が成功した場合に前記受信部で受信された送信データに基づく画像形成を許可する認証部と、前記認証部で許可された送信データに基づいて、記録媒体に画像形成を行う画像形成部と、を備え、前記認証部は、前記記憶部に記憶されている対応表を参照して、前記操作部に入力された第２の識別情報に対応する第２の認証情報を特定し、当該特定された第２の認証情報と、前記受信部で受信された送信データに含まれている第１の認証情報とが対応したものとなる第１の条件と、前記記憶部に記憶されている期限情報を参照して、前記受信部で受信された送信データに含まれている作成時刻からの経過時間が、前記受信部で受信された送信データに含まれている作成時刻が含まれる時間帯に対応する期限内である第２の条件と、の両方の条件を満たす場合には、前記認証を成功であると判断することを特徴とする。
【発明の効果】
【０００７】
本発明の一態様によれば、認証により画像形成の結果を出力する場合に、画像形成の結果を出力する権利を他の者に委譲することができる。
【図面の簡単な説明】
【０００８】
【図１】実施の形態１〜４に係る画像形成システムの構成を概略的に示すブロック図である。
【図２】実施の形態１〜４に係る画像形成装置及び情報処理装置のハードウェア構成を概略的に示すブロック図である。
【図３】実施の形態１における操作パネルを概略的に示す外観図である。
【図４】実施の形態１における利用者ＰＣの機能構成を概略的に示すブロック図である。
【図５】実施の形態１における送信データの第１例を示す概略図である。
【図６】実施の形態１における送信データの第２例を示す概略図である。
【図７】実施の形態１及び２における画像形成装置の機能構成を概略的に示すブロック図である。
【図８】実施の形態１における利用者ＰＣ上で動作するプリンタドライバ部におけるデバイス設定画面の一例を示す概略図である。
【図９】実施の形態１でのプリンタドライバ部における送信データの生成処理を示すフローチャートである。
【図１０】実施の形態１における印刷設定画面の一例を示す概略図である。
【図１１】実施の形態１における印刷出力委譲設定画面の一例を示す概略図である。
【図１２】実施の形態１におけるデータ受信処理部がデータを受信した際の処理を示すフローチャートである。
【図１３】実施の形態１における認証画像形成制御部の印刷データ検索処理を示すフローチャートである。
【図１４】実施の形態１におけるＩＣカード認証印刷の実行時の画面遷移を示す概略図である。
【図１５】実施の形態１における認証画像形成制御部の印刷完了時の処理を示すフローチャートである。
【図１６】実施の形態１における記憶部に記憶されている印刷データから抽出された、識別情報、作成者及び作成時刻の一覧表を示す概略図である。
【図１７】実施の形態１における課金データの一例を示す概略図である。
【図１８】実施の形態１において、課金レポートの印刷を行う際に、表示操作部に表示される画面の遷移を示す概略図である。
【図１９】実施の形態１における課金レポート印刷結果の一例を示す概略図である。
【図２０】実施の形態２における認証画像形成制御部の印刷完了時の処理を示すフローチャートである。
【図２１】実施の形態２における課金データの一例を示す概略図である。
【図２２】実施の形態２における課金レポート印刷結果の一例を示す概略図である。
【図２３】実施の形態３における画像形成装置の機能構成を概略的に示すブロック図である。
【図２４】実施の形態３における対応表の一例を示す概略図である。
【図２５】実施の形態３における管理者ＰＣの機能構成を概略的に示すブロック図である。
【図２６】実施の形態３における対応表作成画面の一例を示す概略図である。
【図２７】実施の形態３における対応表ダウンロードデータの一例を示す概略図である。
【図２８】実施の形態３におけるデータ受信処理部がデータを受信した際の処理を示すフローチャートである。
【図２９】実施の形態３におけるＩＣカード認証印刷時の印刷データ検索処理を示すフローチャートである。
【図３０】実施の形態３における代替認証印刷時の印刷データ検索処理を示すフローチャートである。
【図３１】実施の形態３における代替認証印刷時の画面遷移を示す概略図である。
【図３２】実施の形態４における画像形成装置の機能構成を概略的に示すブロック図である。
【図３３】実施の形態４における代替認証可能期限情報の一例を示す概略図である。
【図３４】実施の形態４における代替認証印刷時の印刷データ検索処理を示すフローチャートである。
【発明を実施するための形態】
【０００９】
実施の形態１．
（構成の説明）
図１は、実施の形態１に係る画像形成システム１００の構成を概略的に示すブロック図である。なお、図１の括弧内の符号は、実施の形態２〜４の構成を示している。
画像形成システム１００は、画像形成装置１１０と、利用者ＰＣ１３０と、管理者ＰＣ１５０と、認証サーバ１７０とを備える。
【００１０】
画像形成装置１１０は、紙等の記録媒体に画像を形成する装置である。利用者ＰＣ１３０は、利用者が画像形成装置１１０へ印刷データを送信するために用いる情報処理装置（第１の情報処理装置）である。管理者ＰＣ１５０は、管理者が画像形成装置１１０へ管理情報を登録するために用いる情報処理装置（第２の情報処理装置）である。認証サーバ１７０は、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）等の既知の技術を用いて、ユーザ認証を実施する情報処理装置（第３の情報処理装置）である。画像形成装置１１０、利用者ＰＣ１３０、管理者ＰＣ１５０及び認証サーバ１７０は、ネットワーク１８０に接続されている。ネットワーク１８０は、画像形成装置１１０、利用者ＰＣ１３０、管理者ＰＣ１５０及び認証サーバ１７０を既知の通信技術で接続する通信回線である。
【００１１】
図２は、画像形成装置１１０及び情報処理装置１９０のハードウェア構成を概略的に示すブロック図である。なお、図２の括弧内の符号は、実施の形態２〜４の構成を示している。なお、情報処理装置１９０は、利用者ＰＣ１３０、管理者ＰＣ１５０又は認証サーバ１７０として機能する。利用者ＰＣ１３０、管理者ＰＣ１５０及び認証サーバ１７０のハードウェア構成は同一である。
【００１２】
画像形成装置１１０は、カードリーダ１１１と、プリント装置１１２と、操作パネル１１３と、ＲＴＣ１１４と、ＨＤＤ（Ｈａｒｄ  Ｄｉｓｋ  Ｄｒｉｖｅ）１１５と、ＮＩＣ（Ｎｅｔｗｏｒｋ  Ｉｎｔｅｒｆａｃｅ  Ｃａｒｄ）１１６と、ＲＯＭ（Ｒｅａｄ  Ｏｎｌｙ  Ｍｅｍｏｒｙ）１１７と、ＲＡＭ（Ｒａｎｄｏｍ  Ａｃｃｅｓｓ  Ｍｅｍｏｒｙ）１１８と、ＣＰＵ（Ｃｅｎｔｒａｌ  Ｐｒｏｃｅｓｓｉｎｇ  Ｕｎｉｔ）１１９とを備える。
【００１３】
カードリーダ１１１は、既知の技術を用いてＩＣカードから情報を読み取る装置である。
プリント装置１１２は、既知の印刷技術を用いて紙等の記録媒体に画像を形成して出力する装置である。
操作パネル１１３は、表示パネルと操作キーとから構成される装置である。操作パネル１１３は、表示部及び操作部として機能する。
ＲＴＣ（Ｒｅａｌ  Ｔｉｍｅ  Ｃｌｏｃｋ）１１４は、時刻を計測する装置である。ＲＴＣで計測されている時刻を現在時刻とする。ＲＴＣ１１４は、画像形成装置１１０の電源が切断されても現在時刻を刻み続ける。
【００１４】
ＨＤＤ１１５は、さまざまなプログラム及びデータを永続的に記憶する装置である。
ＮＩＣ１１６は、既知の通信技術によりネットワーク１８０を介してデータを送受信する通信インターフェースである。
ＲＯＭ１１７は、画像形成装置１１０を動作させるためのプログラム及びデータを読み出し専用で格納する記憶媒体である。
ＲＡＭ１１８は、さまざまなプログラム及びデータを一時的に格納する記憶媒体である。
ＣＰＵ１１９は、画像形成装置１１０全体の動作を制御する装置である。
ＨＤＤ１１５、ＲＯＭ１１７及びＲＡＭ１１８は、プログラム及びデータを記憶する記憶部として機能する。ＣＰＵ１１９は、ＨＤＤ１１５、ＲＯＭ１１７及びＲＡＭ１１８に記憶されているプログラムを実行することで、画像形成装置１１０を制御し、画像形成装置１１０での処理を行う制御部として機能する。
【００１５】
情報処理装置１９０は、ＮＩＣ１９１と、ＨＤＤ１９２と、ＲＯＭ１９３と、ＲＡＭ１９４と、ＣＰＵ１９５と、入力装置１９６と、表示装置１９７とを備える。
ＮＩＣ１９１は、既知の通信技術によりネットワーク１８０を介してデータを送受信する通信インターフェースである。
ＨＤＤ１９２は、さまざまなプログラム及びデータを永続的に記憶する装置である。
ＲＯＭ１９３は、情報処理装置１９０を動作させるためのプログラム及びデータを読み出し専用で格納する記憶媒体である。
ＲＡＭ１９４は、さまざまなプログラム及びデータを一時的に格納する記憶媒体である。
ＣＰＵ１９５は、情報処理装置１９０全体の動作を制御する装置である。
入力装置１９６は、操作の入力を受け付ける装置である。
表示装置１９７は、表示を行う装置である。
ＨＤＤ１９２、ＲＯＭ１９３及びＲＡＭ１９４は、プログラム及びデータを記憶する記憶部として機能する。ＣＰＵ１９５は、ＨＤＤ１９２、ＲＯＭ１９３及びＲＡＭ１９４に記憶されているプログラムを実行することで、情報処理装置１９０を制御し、情報処理装置１９０での処理を行う制御部として機能する。
【００１６】
図３は、操作パネル１１３を概略的に示す外観図である。
操作パネル１１３は、表示パネル１１３ａと、上キー１１３ｂと、下キー１１３ｃと、設定キー１１３ｄと、戻るキー１１３ｅと、テンキー１１３ｆとを備える。
表示パネル１１３ａは、既知の表示技術を用いて、文字及び画像を表示する。例えば、表示パネル１１３ａは、ＬＣＤ（Ｌｉｑｕｉｄ  Ｃｒｙｓｔａｌ  Ｄｉｓｐｌａｙ）パネルで構成することができる。
上キー１１３ｂは、フォーカスを上方向へ移動する際に用いられるハードウェアキーである。
下キー１１３ｃは、フォーカスを下方向へ移動する際に用いられるハードウェアキーである。
設定キー１１３ｄは、設定操作に用いられるハードウェアキーである。戻るキー１１３ｅは、設定せずに戻る操作に用いられるハードウェアキーである。
テンキー１１３ｆは、数値入力に用いられるハードウェアキーである。
表示パネル１１３ａは、表示部として機能し、上キー１１３ｂ、下キー１１３ｃ、設定キー１１３ｄ、戻るキー１１３ｅ及びテンキー１１３ｆは、操作部として機能する。
【００１７】
図４は、利用者ＰＣ１３０の機能構成を概略的に示すブロック図である。
利用者ＰＣ１３０は、通信部１３１と、ユーザ認証処理部１３２と、プリンタドライバ部１３３と、記憶部１３４と、入力部１３５と、表示部１３６とを備える。
【００１８】
通信部１３１は、ネットワーク１８０との間でデータの送受信を行う送信部及び受信部として機能する。
ユーザ認証処理部１３２は、既知の技術を用いて認証サーバ１７０と通信し、ユーザ認証を実施する。
プリンタドライバ部１３３は、画像を形成させるために画像形成装置１１０へ送信する送信データを生成するデータ生成部である。プリンタドライバ部１３３は、送信データに認証を行う際に使用される第１の認証情報を含める。例えば、プリンタドライバ部１３３は、入力部１３５で、委譲先識別情報の入力を受け付けた場合には、その委譲先識別情報を第１の認証情報として送信データを生成する。一方、プリンタドライバ部１３３は、入力部１３５で、委譲先識別情報の入力を受け付けていない場合には、記憶部に記憶されているユーザ識別情報を第１の認証情報として送信データを生成する。
記憶部１３４は、データ及びプログラムを記憶する。例えば、記憶部１３４は、ユーザ識別情報としてのログイン名ＬＮと、送信データＴＤとを記憶する。ログイン名ＬＮは、ユーザ認証処理部１３２において認証されたユーザのアカウント名である。
【００１９】
図５は、送信データＴＤの第１例を示す概略図である。
送信データＴＤ１は、後述するように、印刷出力（画像形成出力）を他の者に委譲しない場合の送信データＴＤである。
送信データＴＤ１は、ジョブ開始コマンドＴＤ０１と、ジョブ種類ＴＤ０２と、印刷形式ＴＤ０３と、識別情報ＴＤ０４と、作成者ＴＤ０５と、作成時刻ＴＤ０６と、印刷データ本体ＴＤ０７と、ジョブ終了コマンドＴＤ０８とを備える。
【００２０】
ジョブ開始コマンドＴＤ０１は、印刷ジョブ（画像形成ジョブ）を開始させるためのコマンドを示す。ジョブ種類ＴＤ０２は、ジョブの種類を示す。印刷形式ＴＤ０３は、印刷の形式（画像形成の形式）を示す。実施の形態１では、印刷形式には、印刷出力に認証を必要とするＩＣカード認証印刷（ＩＣカード認証画像形成）と、印刷出力に認証を必要としない通常印刷（通常画像形成）とが含まれる。識別情報ＴＤ０４は、認証を行うための第１の認証情報を示す。作成者ＴＤ０５は、送信データを作成したユーザのユーザ名（ログイン名）を示す。作成時刻ＴＤ０６は、送信データを作成した時刻を示す。作成時刻ＴＤには、送信データが作成された年月日が含まれていてもよい。印刷データ本体ＴＤ０７は、印刷データの本体を示す。ジョブ終了コマンドＴＤ０８は、印刷ジョブを終了するためのコマンドを示す。
図５に示された送信データＴＤ１は、識別情報ＴＤ０４で示される第１の認証情報（Ｊｉｒｏ  Ｓａｔｏ）と、作成者ＴＤ０５で示されるユーザ名（Ｊｉｒｏ  Ｓａｔｏ）とが同じである。これは、印刷出力時の認証を印刷データの作成者自身が受けることを示しており、印刷出力を他の者に委譲しないことを示している。
【００２１】
図６は、送信データＴＤの第２例を示す概略図である。
図６に示されている送信データＴＤ２は、後述するように、印刷出力を他の者に委譲する場合の送信データＴＤである。なお、図６に示されている送信データＴＤ２のデータ構造は、図５に示されている送信データＴＤ１と同様である。
ここで、図６に示された送信データＴＤ２は、識別情報ＴＤ０４で示される第１の認証情報（Ｔａｒｏ  Ｙａｍａｄａ）と、作成者ＴＤ０５で示されるユーザ名（Ｊｉｒｏ  Ｓａｔｏ）とが異なっている。これは、印刷出力時の認証を印刷データの作成者とは異なる者が受けることを示しており、印刷出力を他の者に委譲することを示している。
【００２２】
図４の説明に戻り、入力部１３５は、操作の入力を受け付ける。実施の形態１においては、入力部１３５は、画像形成出力の委譲先を示す委譲先識別情報の入力を受け付ける。
表示部１３６は、表示を行う。
【００２３】
利用者ＰＣ１３０は、図２に示されている情報処理装置１９０により実現することができる。例えば、通信部１３１は、ＮＩＣ１９１により実現することができる。ユーザ認証処理部１３２及びプリンタドライバ部１３３は、ＨＤＤ１９２又はＲＯＭ１９３に記憶されている予め定められたプログラムをＣＰＵ１９５がＲＡＭ１９４に読み出して、実行することで実現することができる。記憶部１３４は、ＨＤＤ１９２、ＲＯＭ１９３又はＲＡＭ１９４により実現することができる。入力部１３５は、入力装置１９６により実現することができる。表示部１３６は、表示装置１９７により実現することができる。
【００２４】
図７は、画像形成装置１１０の機能構成を概略的に示すブロック図である。図７の括弧内の符号は、実施の形態２における構成を示している。
画像形成装置１１０は、読み取り部１２０と、画像形成部１２１と、表示操作部１２２と、記憶部１２３と、通信部１２４と、データ受信処理部１２５と、認証画像形成制御部１２６と、課金レポート画像形成制御部１２７とを備える。
【００２５】
読み取り部１２０は、ＩＣカードから情報を読み取る。実施の形態１においては、読み取り部１２０は、第２の認証情報を取得する取得部として機能する。
画像形成部は、紙等の記録媒体に画像を形成する。
表示操作部１２２は、画像を表示する表示部及び操作の入力を受け付ける操作部として機能する。
【００２６】
記憶部１２３は、各種データを記憶する。例えば、実施の形態１においては、記憶部１２３は、印刷形式（画像形成形式）の指定を示す情報ＳＤと、印刷データ（画像形成データ）ＰＤと、課金データＣＤとを記憶する。印刷形式の指定を示す情報ＳＤは、利用者ＰＣ１３０から送信されてきた情報である。印刷データＰＤは、利用者ＰＣ１３０から送信されてきた送信データＴＤを記憶部１２３に記憶したデータであり、その内容は送信データＴＤと同様である（図５及び６参照）。課金データＣＤは、印刷結果（画像形成結果）に基づく課金情報を記録したデータである。印刷形式の指定を示す情報ＳＤ及び課金データＣＤについては、後において詳細に説明する。
通信部１２４は、ネットワーク１８０との間でデータの送受信を行う送信部及び受信部として機能する。
【００２７】
データ受信処理部１２５は、通信部１２４を介して受信されたデータを処理する。例えば、データ受信処理部１２５は、通信部１２４を介して受信された印刷形式の指定を示す情報ＳＤを記憶部１２３に記憶させる。また、データ受信処理部１２５は、通信部１２４を介して受信された送信データＴＤを、印刷データＰＤとして記憶部１２３に記憶させる。
認証画像形成制御部１２６は、印刷データＰＤに含まれている第１の認証情報を用いて認証を行い、この認証が成功した場合に、その印刷データＰＤに基づく画像形成を許可する認証部である。例えば、認証画像形成制御部１２６は、読み取り部１２０で読み取られた情報と対応する「識別情報」を持つ印刷データＰＤの印刷（画像形成）及び削除を制御する。また、認証画像形成制御部１２６は、印刷結果に基づいて課金データＣＤを生成して、記憶部１２３に記憶させる。
課金レポート画像形成制御部１２７は、記憶部１２３に記憶されている課金データＣＤから課金レポートを生成し、その印刷を制御する課金レポート作成部である。
【００２８】
図７に示されている画像形成装置１１０の機能は、図２に示されている画像形成装置１１０のハードウェアにより実現することができる。
例えば、読み取り部１２０は、カードリーダ１１１で実現できる。画像形成部１２１は、プリント装置１１２により実現することができる。表示操作部１２２は、操作パネル１１３により実現することができる。記憶部１２３は、ＨＤＤ１１５、ＲＯＭ１１７及びＲＡＭ１１８により実現することができる。なお、印刷データＰＤ及び課金データＣＤは、ＨＤＤ１１５内で永続的に保存されることが望ましい。通信部１２４は、ＮＩＣ１１６により実現することができる。データ受信処理部１２５、認証画像形成制御部１２６及び課金レポート画像形成制御部１２７は、ＨＤＤ１１５又はＲＯＭ１１７に記憶されているプログラムをＣＰＵ１１９がＲＡＭ１１８に読み出して、実行することで実現することができる。
【００２９】
（動作の説明）
以下、図面を参照しながら、画像形成システム１００での動作について説明する。
【００３０】
（デバイスの設定）
図８は、利用者ＰＣ１３０上で動作するプリンタドライバ部１３３におけるデバイス設定画面ＤＳＩの一例を示す概略図である。プリンタドライバ部１３３は、デバイス設定画面ＤＳＩを表示部１３６に表示させて、入力部１３５を介して入力された印刷形式の指定を取得する。
デバイス設定画面ＤＳＩにおける印刷形式の指定領域ＤＳＩ１において、「すべての印刷形式を有効にする」設定が選択されると、プリンタドライバ部１３３は、すべての印刷形式を受け付けるように設定される。「ＩＣカード認証印刷のみを有効にする」設定が選択されると、プリンタドライバ部１３３は、ＩＣカード認証印刷のみを受け付け、それ以外の印刷形式は受け捨てるように設定される。プリンタドライバ部１３３は、以上のようにして設定された印刷形式の指定を示す情報を、通信部１３１に、画像形成装置１１０へと送信させる。画像形成装置１１０では、データ受信処理部１２５が、通信部１２４を介して受信された印刷形式の指定を示す情報ＳＤを、記憶部１２３に記憶させる。
【００３１】
(送信データＴＤの生成)
図９は、プリンタドライバ部１３３における送信データの生成処理を示すフローチャートである。例えば、図９のフローチャートは、利用者ＰＣ１３０の入力部１３５が、印刷指示（画像形成指示）の入力を受け付けた場合に開始される。
【００３２】
まず、プリンタドライバ部１３３は、「印刷形式」の設定が、「ＩＣカード認証印刷」か否かを判断する（Ｓ１０）。
例えば、入力部１３５が印刷指示の入力を受け付けると、プリンタドライバ部１３３は、表示部１３６に印刷設定画面（画像形成設定画面）を表示させる。
図１０は、印刷設定画面の一例を示す概略図である。
図１０に示されている印刷設定画面ＰＳＩでは、印刷形式領域ＰＳＩ１において、印刷形式を選択することができる。そして、プリンタドライバ部１３３は、印刷形式領域ＰＳＩ１において、「通常印刷」が選択された場合（Ｓ１０：Ｎｏ）には、ＩＣカードによる認証を行わない通常印刷の送信データを生成するために、ステップＳ１５に処理を進める。一方、「ＩＣカード認証印刷」が選択された場合（Ｓ１０：Ｙｅｓ）には、プリンタドライバ部１３３は、ＩＣカードによる認証を必要とするＩＣカード認証印刷の送信データを生成するため、ステップＳ１１に処理を進める。
【００３３】
ステップＳ１１では、プリンタドライバ部１３３は、「印刷出力委譲」の設定が「する」になっているか否かを判断する。
例えば、図１０に示されている印刷設定画面ＰＳＩにおいて「ＩＣカード認証印刷」が選択された場合には、印刷出力の委譲を設定することができる。例えば、印刷出力委譲設定領域ＰＳＩ２が選択されて、実行指示の入力が行われた場合には、印刷出力委譲設定画面が表示部１３６に表示される。
図１１は、印刷出力委譲設定画面の一例を示す概略図である。
図１１に示されている印刷出力委譲設定画面ＰＤＳＩでは、印刷出力委譲領域ＰＤＳＩ１において、印刷出力の委譲をするか否かを設定することができる。そして、プリンタドライバ部１３３は、印刷出力委譲領域ＰＤＳＩ１において「する」が選択された場合（Ｓ１１：Ｙｅｓ）には、ステップＳ１２に処理を進める。一方、プリンタドライバ部１３３は、印刷出力委譲領域ＰＤＳＩ１において「しない」が選択された場合（Ｓ１１：Ｎｏ）には、ステップＳ１４に処理を進める。
【００３４】
ステップＳ１２では、プリンタドライバ部１３３は、「委譲先」が設定されているか否かを判断する。
例えば、図１１に示されている印刷出力委譲設定画面ＰＤＳＩの委譲先領域ＰＤＳＩ２に委譲先のアカウント名が入力されて、ＯＫ領域ＰＤＳＩ３を選択した実行指示の入力を受けた場合（Ｓ１２：Ｙｅｓ）には、プリンタドライバ部１３３は、ステップＳ１３に処理を進める。一方、委譲先領域ＰＤＳＩ２に委譲先のアカウント名が入力されずに、ＯＫ領域ＰＤＳＩ３を選択した実行指示の入力を受けた場合（Ｓ１２：Ｎｏ）には、プリンタドライバ部１３３は、ステップＳ１４に処理を進める。
【００３５】
ステップＳ１３では、プリンタドライバ部１３３は、識別情報ＴＤ０４として委譲先領域ＰＤＳＩ２に入力された内容を設定したＩＣカード認証印刷用の送信データＴＤ（図６参照）を生成する。
【００３６】
ステップＳ１４では、プリンタドライバ部１３３は、識別情報ＴＤ０４として、記憶部１３４に記憶されているログイン名ＬＮを設定したＩＣカード認証印刷用の送信データＴＤ（図５参照）を生成する。
【００３７】
ステップＳ１５では、プリンタドライバ部１３３は、印刷出力にＩＣカードによる認証を必要としない通常印刷用の送信データＴＤを生成する。通常印刷用の送信データＴＤでは、図示されてはいないが、印刷形式ＴＤ０３（図５又は図６参照）が「通常印刷」に設定されている。
【００３８】
なお、プリンタドライバ部１３３は、ステップＳ１３〜１５の何れかで生成された送信データＴＤを記憶部１３４に記憶させる。また、通信部１３１は、プリンタドライバ部１３３からの指示に応じて、その送信データＴＤを画像形成装置１１０に送信する。
【００３９】
（データの受信）
図１２は、画像形成装置１１０のデータ受信処理部１２５がデータを受信した際の処理を示すフローチャートである。図１２のフローチャートは、データ受信処理部１２５が、通信部１２４を介して送信データＴＤを受信した際に開始される。
【００４０】
まず、データ受信処理部１２５は、受信された送信データＴＤの印刷形式ＴＤ０３が「ＩＣカード認証印刷」を示すか否かを判断する（Ｓ２０）。印刷形式ＴＤ０３が「ＩＣカード認証印刷」を示す場合（Ｓ２０：Ｙｅｓ）には、処理はステップＳ２１に進む。印刷形式ＴＤ０３が「ＩＣカード認証印刷」を示さない場合（Ｓ２０：Ｎｏ）、言い換えると、印刷形式ＴＤ０３が「通常印刷」を示す場合には、処理はステップＳ２２に進む。
【００４１】
ステップＳ２１では、データ受信処理部１２５は、受信された送信データＴＤを印刷データＰＤとして記憶部１２３に格納させる。
【００４２】
ステップＳ２２では、データ受信処理部１２５は、印刷形式の指定が「すべての印刷形式を有効にする」であるか否かを判断する。上述のように、図８に示されているデバイス設定画面ＤＳＩにおける印刷形式の指定領域ＤＳＩ１において選択された印刷形式の指定を示す情報は、利用者ＰＣ１３０から予め送られてきている。このため、データ受信処理部１２５は、記憶部１２３に記憶されている印刷形式の指定を示す情報ＳＤを確認する。印刷形式の指定が「すべての印刷形式を有効にする」である場合（Ｓ２２：Ｙｅｓ）には、処理はステップＳ２３に進む。印刷形式の指定が「すべての印刷形式を有効にする」でなはい場合（Ｓ２２：Ｎｏ）、言い換えると、印刷形式の指定が「ＩＣカード認証印刷のみを有効にする」である場合には、処理はＳ２４に進む。
【００４３】
ステップＳ２３では、画像形成装置１１０は、受信された送信データＴＤを処理する。例えば、データ受信処理部１２５は、受信された送信データＴＤを印刷データＰＤとして画像形成部１２１に送る。画像形成部１２１は、与えられた印刷データに基づいて、印刷を行う。
ステップＳ２４では、データ受信処理部１２５は、受信された送信データＴＤを受け捨てる。
【００４４】
(印刷データの検索)
図１３は、認証画像形成制御部１２６の印刷データ検索処理を示すフローチャートである。図１３に示されているフローチャートは、例えば、ＩＣカード認証印刷の開始指示があった場合に開始される。ユーザは、例えば、読み取り部１２０でＩＣカードを読み取り可能な状態にすることで、ＩＣカード認証印刷の開始指示を行うことができる。
なお、ＩＣカードには、利用者ＰＣ１３０におけるログイン名ＬＮに対応する情報が記録されている。近年のオフィス環境において、社員証として社員番号が記録されたＩＣカードを使用し、ＰＣのアカウント名（ログイン名）にも社員番号を使用する構成が普及している。つまり、ＰＣへの「ログイン名」と同じ情報が、ＩＣカードにも記録されている。実施の形態１においては、ＩＣカードに格納されているログイン名が第２の認証情報として用いられる。
【００４５】
まず、読み取り部１２０は、ＩＣカードに格納されている「ログイン名」を読み取る（Ｓ３０）。読み取られた「ログイン名」は、認証画像形成制御部１２６に送られる。
【００４６】
認証画像形成制御部１２６は、記憶部１２３に記憶されている印刷データＰＤの識別情報ＴＤ０４を確認して、読み取られた「ログイン名」と対応（例えば、一致）する識別情報ＴＤ０４を持つ印刷データＰＤが存在するか否かを判断する（Ｓ３１）。そのような印刷データＰＤが存在する場合（Ｓ３１：Ｙｅｓ）には、認証が成功したものとして、処理はステップＳ３２に進む。そのような印刷データＰＤが存在しない場合（Ｓ３１：Ｎｏ）には、認証が成功しなかったものとして、フローは終了する。そのような印刷データＰＤが存在せずにフローが終了した場合には、例えば、表示操作部１２２に表示されている画面は、図１４に示されている待機画面Ｉ０１のまま遷移しない。
【００４７】
ステップＳ３２では、認証画像形成制御部１２６は、表示操作部１２２を制御することで、図１４に示されている待機画面Ｉ０１から、図１４に示されているジョブ検出画面Ｉ０２へと、表示操作部１２２に表示されている画面を遷移させる。
【００４８】
（ＩＣカード認証印刷の実行）
表示操作部１２２に、図１４に示されているジョブ検出画面Ｉ０２が表示されている状態で、操作パネル１１３（図３参照）の上下キー１１３ｂ、１１３ｃを押下することで、ユーザは「印刷実行」と「ジョブ削除」とを選択することができる。
そして、図１４に示されているジョブ検出画面Ｉ０２において「印刷実行」にフォーカスが当った状態で設定キー１１３ｄが押下されると、認証画像形成制御部１２６は、図１３のステップＳ３１で検出された印刷データＰＤを画像形成部１２１に送り、印刷を実行させる。このような場合には、認証画像形成制御部１２６は、表示操作部１２２に表示されている画面を、図１４に示されているジョブ検出画面Ｉ０２から、印刷中画面Ｉ０３に遷移させる。
一方、図１４に示されているジョブ検出画面Ｉ０２において「ジョブ削除」にフォーカスが当った状態で設定キー１１３ｄが押下されると、認証画像形成制御部１２６は、表示操作部１２２に表示されている画面を、図１４に示されているジョブ検出画面Ｉ０２から、図１４に示されている削除確認画面Ｉ０４に遷移させる。
表示操作部１２２に、図１４に示されている削除確認画面Ｉ０４が表示されている状態で、操作パネル１１３の上下キー１１３ｂ、１１３ｃを押下することで、ユーザは「はい」（削除に同意）と「いいえ」（削除に非同意）とを選択することができる。
そして、図１４に示されている削除確認画面Ｉ０４において「はい」にフォーカスが当った状態で設定キー１１３ｄが押下されると、認証画像形成制御部１２６は、図１３のステップＳ３１で検出された印刷データＰＤを削除する。このような場合には、認証画像形成制御部１２６は、表示操作部１２２に表示されている画面を、図１４に示されている削除確認画面Ｉ０４から、削除中画面Ｉ０５に遷移させる。
【００４９】
（印刷の完了）
図１５は、認証画像形成制御部１２６の印刷完了時の処理を示すフローチャートである。図１５に示されているフローチャートは、画像形成部１２１での印刷が完了した場合に開始される。
【００５０】
認証画像形成制御部１２６は、印刷完了後、画像形成部１２１から、記録媒体のサイズ、印刷した色及び排出枚数を含む印刷完了情報を取得する（Ｓ４０）。
さらに、認証画像形成制御部１２６は、印刷が完了した印刷データＰＤから識別情報ＴＤ０４を取得する（Ｓ４１）。
そして、認証画像形成制御部１２６は、識別情報ＴＤ０４を「利用者」として、課金データＣＤを生成し、その課金データＣＤを記憶部１２３に記憶させる（Ｓ４２）。
【００５１】
課金データＣＤの生成について、図１６及び１７を用いて、詳細に説明する。
図１６は、記憶部１２３に記憶されている印刷データＰＤから抽出された、識別情報ＴＤ０４、作成者ＴＤ０５及び作成時刻ＴＤ０６の一覧表である。図１６において、ＩＤ＝０４の印刷データＰＤは、図５に示されている送信データＴＤ１に対応し、ＩＤ＝５の印刷データＰＤは、図６に示されている送信データＴＤ２に対応する。
「Ｔａｒｏ  Ｙａｍａｄａ」を「ログイン名」とするＩＣカードが読み取り部１２０で読み取られた場合、図１６に示すように、識別情報ＴＤ０４として「Ｔａｒｏ  Ｙａｍａｄａ」を持つＩＤ＝２、３及び５の印刷データＰＤが印刷対象となる。図１７は、これらの印刷データＰＤの印刷が完了した結果、認証画像形成制御部１２６が生成する課金データＣＤ１を示す概略図である。課金データＣＤ１では、印刷が完了した印刷データＰＤの識別情報ＴＤ０４が「利用者」として格納されている。言い換えると、印刷出力を実施した利用者が課金対象となっている。課金額は、図１５のステップＳ４０で取得された印刷完了情報で示されるサイズ、色及び枚数に基づいて決められる。
【００５２】
（課金データの印刷）
図１８は、課金レポートの印刷を行う際に、表示操作部１２２に表示される画面の遷移を示す概略図である。
図１８に示されている待機画面Ｉ０１が表示操作部１２２に表示されている状態で、操作パネル１１３（図３参照）の設定キー１１３ｄが押下されると、表示操作部１２２に表示されている画面は、図１８に示されている機能設定画面Ｉ０６へ遷移する。
図１８に示されている機能設定画面Ｉ０６において、上下キー１１３ｂ、１１３ｃを押下することで、ユーザは、「管理者メニュー」、「プリンタ調整」、「代替認証印刷」及び「課金レポート印刷」を選択することができる。そして、図１８に示されている機能設定画面Ｉ０６において、「課金レポート印刷」にフォーカスが当てられた状態で設定キー１１３ｄが押下されると、表示操作部１２２に表示されている画面は、図１８に示されている印刷中画面Ｉ０７へ遷移する。そして、課金レポート画像形成制御部１２７は、記憶部１２３に記憶されている課金データＣＤに格納されている情報を予め定められた形式にすることで、課金レポートを生成する。課金レポート画像形成制御部１２７は、生成された課金レポートを画像形成部１２１に送り、その印刷を行わせる。
【００５３】
図１９は、課金レポート印刷結果の一例を示す概略図である。図１９に示されている課金レポートＣＰ１は、図１７に示されている課金データＣＤ１に基づいて印刷されたものである。
【００５４】
以上のように、実施の形態１に係る画像形成システム１００によれば、利用者ＰＣ１３０のプリンタドライバ部１３３において、印刷出力の委譲先を指定することができるようにすることで、印刷出力を別の利用者に委譲することができる。
【００５５】
実施の形態２．
以下、実施の形態２について説明する。
【００５６】
（構成の説明）
図１に示されているように、実施の形態２に係る画像形成システム２００は、画像形成装置２１０と、利用者ＰＣ１３０と、管理者ＰＣ１５０と、認証サーバ１７０とを備える。実施の形態２に係る画像形成システム２００は、画像形成装置２１０において、実施の形態１に係る画像形成システム１００と異なっている。なお、実施の形態２における画像形成装置２１０のハードウェア構成は図２に示されている画像形成装置１１０のハードウェア構成と同様である。
【００５７】
図７に示されているように、実施の形態２における画像形成装置２１０は、読み取り部１２０と、画像形成部１２１と、表示操作部１２２と、記憶部１２３と、通信部１２４と、データ受信処理部１２５と、認証画像形成制御部２２６と、課金レポート画像形成制御部１２７とを備える。実施の形態２における画像形成装置２１０は、認証画像形成制御部２２６での処理において、実施の形態１における画像形成装置１１０と異なっている。
【００５８】
実施の形態２における認証画像形成制御部２２６は、実施の形態１における認証画像形成制御部１２６とほぼ同様の処理を行うが、印刷完了時の課金データの生成処理において、実施の形態１における認証画像形成制御部１２６と異なっている。
【００５９】
（動作の説明）
実施の形態２に係る画像形成システム２００での動作は、実施の形態１における画像形成システム１００での動作とほぼ同様であるが、印刷完了時の処理が異なっているため、以下、印刷完了時の処理について説明する。
【００６０】
（印刷の完了）
図２０は、認証画像形成制御部２２６の印刷完了時の処理を示すフローチャートである。図２０に示されているフローチャートは、画像形成部１２１での印刷が完了した場合に開始される。
【００６１】
認証画像形成制御部２２６は、印刷完了後、画像形成部１２１から、記録媒体のサイズ、印刷した色及び排出枚数を含む印刷情報を取得する（Ｓ５０）。
さらに、認証画像形成制御部２２６は、印刷が完了した印刷データＰＤから作成者ＴＤ０５を取得する（Ｓ５１）。
そして、認証画像形成制御部２２６は、作成者ＴＤ０５を「利用者」として、課金データＣＤを生成し、その課金データＣＤを記憶部１２３に記憶させる（Ｓ５２）。
【００６２】
課金データＣＤの生成について、図１６及び２１を用いて、詳細に説明する。
「Ｔａｒｏ  Ｙａｍａｄａ」を「ログイン名」とするＩＣカードが読み取り部１２０で読み取られた場合、図１６に示すように、識別情報ＴＤ０４として「Ｔａｒｏ  Ｙａｍａｄａ」を持つＩＤ＝２、３及び５の印刷データＰＤが印刷対象となる。図２１は、これらの印刷データＰＤの印刷が完了した結果、認証画像形成制御部２２６が生成する課金データＣＤ２を示す概略図である。課金データＣＤ２では、印刷が完了した印刷データＰＤの作成者ＴＤ０５が「利用者」として格納されている。言い換えると、印刷出力を委譲した委譲元の利用者が課金対象となっている。
【００６３】
図２２は、課金レポート印刷結果の一例を示す概略図である。図２２に示されている課金レポートＣＰ２は、図２１に示されている課金データＣＤ２に基づいて印刷されたものである。
【００６４】
以上のように実施の形態２によれば、印刷出力の委譲元に課金することにより、委譲先に意図しない課金が発生し、損害を被ることを防止することができる。
【００６５】
実施の形態３．
以下、実施の形態３について説明する。
【００６６】
（構成の説明）
図１に示されているように、実施の形態３に係る画像形成システム３００は、画像形成装置３１０と、利用者ＰＣ１３０と、管理者ＰＣ３５０と、認証サーバ１７０とを備える。実施の形態３に係る画像形成システム３００は、画像形成装置３１０及び管理者ＰＣ３５０において、実施の形態１に係る画像形成システム１００と異なっている。なお、実施の形態３における画像形成装置３１０のハードウェア構成は、図２に示されている画像形成装置１１０のハードウェア構成と同様であり、実施の形態３における管理者ＰＣ３５０のハードウェア構成は、図２に示されている情報処理装置１９０と同様である。
【００６７】
図２３は、画像形成装置３１０の機能構成を概略的に示すブロック図である。
実施の形態３における画像形成装置３１０は、読み取り部１２０と、画像形成部１２１と、表示操作部１２２と、記憶部３２３と、通信部１２４と、データ受信処理部３２５と、認証画像形成制御部３２６と、課金レポート画像形成制御部１２７とを備える。実施の形態３における画像形成装置３１０は、記憶部３２３に記憶されるデータの点、並びに、データ受信処理部３２５及び認証画像形成制御部３２６での処理の点において、実施の形態１における画像形成装置１１０と異なっている。
【００６８】
記憶部３２３は、実施の形態１と同様に、印刷形式の指定を示す情報ＳＤと、印刷データＰＤ及び課金データＣＤを記憶するほか、実施の形態１とは異なり、対応表ＣＴを記憶する。なお、対応表ＣＴは、ＨＤＤ１１５内で永続的に保存されるのが望ましい。
対応表ＣＴは、認証印刷に用いる情報間の対応関係を定義するデータである。
図２４は、対応表ＣＴの一例を示す概略図である。対応表ＣＴは、ログイン名欄ＣＴ１と、ＩＣカード識別情報欄ＣＴ２と、ＰＩＮ欄ＣＴ３とを有する。
ログイン名欄ＣＴ１は、ログイン名を格納する。ログイン名欄ＣＴ１に格納されているログイン名は、第２の認証情報ともいう。
ＩＣカード識別情報欄ＣＴ２は、ログイン名欄ＣＴ１に格納されているログイン名で特定されるユーザが有するＩＣカードを唯一に特定できるＩＣカード識別情報を格納する。なお、実施の形態１及び２においては、ＩＣカードには、ログイン名が格納されていたが、実施の形態３においては、ＩＣカードには、ログイン名とは異なるＩＣカード識別情報が格納されている。ＩＣカード識別情報は、第１の識別情報ともいう。
ＰＩＮ欄ＣＴ３は、ログイン名欄ＣＴ１に格納されているログイン名で特定されるユーザを識別するための個人識別情報としてのＰＩＮ（Ｐｅｒｓｏｎａｌ  Ｉｄｅｎｔｉｆｉｃａｔｉｏｎ  Ｎｕｍｂｅｒ）を格納する。ＰＩＮは、第２の識別情報ともいう。
【００６９】
図２３に戻り、データ受信処理部３２５は、実施の形態１と同様の処理を行う他、管理者ＰＣ３５０から送られてきた対応表ダウンロードデータを、通信部１２４を介して受信し、そのデータから対応表ＣＴを生成して、生成された対応表ＣＴを記憶部３２３に記憶させる。
【００７０】
認証画像形成制御部３２６は、読み取り部１２０で読み取られたＩＣカード識別情報に対応するログイン名を対応表ＣＴから特定し、特定されたログイン名と対応（例えば、一致）する「識別情報」を持つ印刷データＰＤの印刷及び削除を制御する。また、認証画像形成制御部３２６は、表示操作部１２２を介して入力されたＰＩＮに対応するログイン名を対応表ＣＴから特定し、特定されたログイン名と対応（例えば、一致)する「識別情報」を持つ印刷データＰＤの印刷及び削除を制御する。
【００７１】
図２５は、実施の形態３における管理者ＰＣ３５０の機能構成を概略的に示すブロック図である。
管理者ＰＣ３５０は、通信部３５１と、対応表作成ツール３５２と、記憶部３５３と、入力部３５４と、表示部３５５とを備える。
【００７２】
通信部３５１は、ネットワーク１８０との間でデータの送受信を行う送信部及び受信部として機能する。
対応表作成ツール３５２は、対応表ＣＴを作成する対応表作成部である。
記憶部３５３は、プログラム及びデータを記憶する。例えば、記憶部３５３は、対応表ダウンロードデータＣＴＤを記憶する。対応表ダウンロードデータＣＴＤは、対応表作成ツール３５２で定義された情報を、ネットワーク１８０を介して、画像形成装置１１０へダウンロードするためのデータである。
入力部３５４は、操作の入力を受け付ける。
表示部３５５は、表示を行う。
【００７３】
管理者ＰＣ３５０は、図２に示されている情報処理装置１９０により実現することができる。例えば、通信部３５１は、ＮＩＣ１９１により実現することがでる。対応表作成ツール３５２は、ＨＤＤ１９２又はＲＯＭ１９３に記憶されている予め定められたプログラムをＣＰＵ１９５がＲＡＭ１９４に読み出して、実行することで実現することができる。記憶部３５３は、ＨＤＤ１９２、ＲＯＭ１９３又はＲＡＭ１９４により実現することができる。入力部３５４は、入力装置１９６により実現することができる。表示部３５５は、表示装置１９７により実現することができる。
【００７４】
（動作の説明）
実施の形態３に係る画像形成システム３００での動作は、実施の形態１における画像形成システム１００での動作とほぼ同様であるが、対応表ＣＴを作成する処理及び代替認証印刷を実行する処理が必要となる点、並びに、データを受信する処理及び印刷データＰＤを検索する処理が異なっているため、以下、これらの処理について説明する。
【００７５】
（対応表の作成）
実施の形態３においては、ＩＣカードには、利用者ＰＣ１３０における「ログイン名」に対応する情報は記録されていない。但し、すべてのＩＣカードには、ＩＣカードを唯一に特定できる「ＩＣカード識別情報」が記録されている。なお、実施の形態３では、読み取り部１２０は、ＩＣカードから「ＩＣカード識別情報」を取得する取得部として機能する。そこで、対応表作成ツール３５２において、利用者ＰＣ１３０における「ログイン名」と「ＩＣカード識別情報」との対応関係を定義する。さらに、画像形成装置３１０の表示操作部１２２にＰＩＮが入力されることにより、ＩＣカードを使用せずに認証印刷を実施する「代替認証印刷」を可能にするために、管理者ＰＣ３５０の対応表作成ツール３５２は、「ログイン名」と「ＰＩＮ」との対応関係も定義する。
対応表作成ツール３５２は、表示部３５５に対応表作成画面を表示させ、入力部３５４を介して必要な情報の入力を受け付けることで、対応表ダウンロードデータＣＴＤを作成する。
図２６は、対応表作成画面の一例を示す概略図である。
対応表作成画面Ｉ０８は、ログイン名入力領域Ｉ０８１と、ＩＣカード識別情報入力領域Ｉ０８２と、ＰＩＮ入力領域Ｉ０８３とを有する。そして、これらの領域の同じ行（レコード）に、それぞれ対応付ける「ログイン名」、「ＩＣカード識別情報」及び「ＰＩＮ」が入力され、送信ボタンＩ０８４が押下されると、対応表作成ツール３５２は、入力された情報に基づいて対応表ダウンロードデータＣＴＤを作成して、記憶部３５３に記憶させる。そして、対応表作成ツール３５２は、記憶された対応表ダウンロードデータＣＴＤを、通信部３５１に画像形成装置３１０へ送信させる。図２７は、対応表ダウンロードデータＣＴＤの一例を示す概略図である。対応表ダウンロードデータＣＴＤでは、「ジョブ種別」が「対応表ダウンロードデータ」で有ることが示され、さらに、各レコード毎に、対応する「ログイン名」、「ＩＣカード識別情報」及び「ＰＩＮ」が示されている。
【００７６】
（データの受信）
図２８は、画像形成装置３１０のデータ受信処理部３２５がデータを受信した際の処理を示すフローチャートである。図２８のフローチャートは、画像形成装置３１０のデータ受信処理部３２５が、通信部１２４を介してデータを受信した際に開始される。
【００７７】
まず、データ受信処理部３２５は、受信されたデータが対応表ダウンロードデータＣＴＤであるか否かを判断する（Ｓ６０）。例えば、データ受信処理部３２５は、受信されたデータの「ジョブ種別」が「対応表ダウンロードデータ」であるか否かで、この判断を行う。受信されたデータが対応表ダウンロードデータＣＴＤである場合（Ｓ６０：Ｙｅｓ）には、処理はＳ６１に進む。受信されたデータが対応表ダウンロードデータＣＴＤではない場合（Ｓ６０：Ｎｏ）、言い換えると、受信されたデータが送信データＴＤである場合には、処理はステップＳ６２に進む。
【００７８】
ステップＳ６１では、データ受信処理部３２５は、受信された対応表ダウンロードデータＣＴＤから対応表ＣＴを生成して、この対応表ＣＴを記憶部３２３に記憶させる。
【００７９】
ステップＳ６２では、データ受信処理部３２５は、受信された送信データＴＤの印刷形式ＴＤ０３が「ＩＣカード認証印刷」を示すか否かを判断する。印刷形式ＴＤ０３が「ＩＣカード認証印刷」を示す場合（Ｓ６２：Ｙｅｓ）には、処理はステップＳ６３に進む。印刷形式ＴＤ０３が「ＩＣカード認証印刷」を示さない場合（Ｓ６２：Ｎｏ）、言い換えると、印刷形式ＴＤ０３が「通常印刷」を示す場合には、処理はステップＳ６４に進む。
【００８０】
ステップＳ６３では、データ受信処理部３２５は、受信された送信データＴＤを印刷データＰＤとして記憶部３２３に格納させる。
【００８１】
ステップＳ６４では、データ受信処理部３２５は、印刷形式の指定が「すべての印刷形式を有効にする」であるか否かを判断する。印刷形式の指定が「すべての印刷形式を有効にする」である場合（Ｓ６４：Ｙｅｓ）には、処理はステップＳ６５に進む。印刷形式の指定が「すべての印刷形式を有効にする」でなはい場合（Ｓ６４：Ｎｏ）、言い換えると、印刷形式の指定が「ＩＣカード認証印刷のみを有効にする」である場合には、処理はＳ６６に進む。
【００８２】
ステップＳ６５では、画像形成装置３１０は、受信された送信データＴＤを処理する。例えば、データ受信処理部３２５は、受信された送信データＴＤを印刷データＰＤとして画像形成部１２１に送る。画像形成部１２１は、与えられた印刷データＰＤに基づいて、印刷を行う。
ステップＳ６６では、データ受信処理部３２５は、受信された送信データＴＤを受け捨てる。
【００８３】
(ＩＣカード認証印刷時の印刷データの検索)
図２９は、認証画像形成制御部３２６のＩＣカード認証印刷時の印刷データ検索処理を示すフローチャートである。図２９に示されているフローチャートは、例えば、ＩＣカード認証印刷の開始指示があった場合に開始される。
【００８４】
まず、読み取り部１２０は、ＩＣカードに格納されている「ＩＣカード識別情報」を読み取る（Ｓ７０）。読み取られた「ＩＣカード識別情報」は、認証画像形成制御部３２６に送られる。
【００８５】
認証画像形成制御部３２６は、ＩＣカードから読み取られたＩＣカード識別情報に対応する「ログイン名」が対応表ＣＴに記憶されているか否かを判断する（Ｓ７１）。そのような「ログイン名」が記憶されている場合（Ｓ７１：Ｙｅｓ）には、処理はステップＳ７２に進む。そのような「ログイン名」が記憶されていない場合（Ｓ７１：Ｎｏ）には、フローは終了する。
【００８６】
ステップＳ７２では、認証画像形成制御部３２６は、ＩＣカードから読み取られたＩＣカード識別情報に対応する「ログイン名」を対応表ＣＴから取得する。
そして、認証画像形成制御部３２６は、記憶部３２３に記憶されている印刷データＰＤの識別情報ＴＤ０４を確認して、取得された「ログイン名」と対応（例えば、一致）する識別情報ＴＤ０４を持つ印刷データＰＤが存在するか否かを判断する（Ｓ７３）。そのような印刷データＰＤが存在する場合（Ｓ７３：Ｙｅｓ）には、処理はステップＳ７４に進み、そのような印刷データＰＤが存在しない場合（Ｓ７３：Ｎｏ）にはフローは終了する。そのような印刷データＰＤが存在せずにフローが終了した場合には、例えば、表示操作部１２２に表示されている画面は、図１４に示されている待機画面Ｉ０１のまま遷移しない。
【００８７】
ステップＳ７４では、認証画像形成制御部３２６は、表示操作部１２２を制御することで、印刷ジョブが検出されたことを通知する画面（例えば、図１４に示されているジョブ検出画面Ｉ０２）を表示させる。なお、検出された印刷ジョブを実行する際の動作は、図１４を用いて説明した実施の形態１での動作と同様である。
【００８８】
例えば、記憶部３２３に記憶されている印刷データＰＤから抽出された、識別情報ＴＤ０４、作成者ＴＤ０５及び作成時刻ＴＤ０６が図１６に示されている一覧表のようになっているとする。このような状態で、読み取り部１２０が「ｘｘｘｘｘｘｘｘｘｘ」の「ＩＣカード識別情報」を読み取った場合、図２４に示されている対応表ＣＴから、「Ｊｉｒｏ  Ｓａｔｏ」の「ログイン名」が取得される。このため、図１６に示すように、識別情報ＴＤ０４として「Ｊｉｒｏ  Ｓａｔｏ」を持つＩＤ＝１及び４の印刷データＰＤが印刷対象となる。
【００８９】
（代替認証印刷の印刷データ検索）
図３０は、認証画像形成制御部３２６の代替認証印刷時の印刷データ検索処理を示すフローチャートである。図３０に示されているフローチャートは、例えば、表示操作部１２２が代替認証印刷の開始指示の入力を受けた場合に開始される。
【００９０】
認証画像形成制御部３２６は、表示操作部１２２を介して、ＰＩＮの入力を受け付ける（Ｓ８０）。
【００９１】
認証画像形成制御部３２６は、入力されたＰＩＮに対応する「ログイン名」が対応表ＣＴに記憶されているか否かを判断する（Ｓ８１）。そのような「ログイン名」が記憶されている場合（Ｓ８１：Ｙｅｓ）には、処理はステップＳ８２に進む。そのような「ログイン名」が記憶されていない場合（Ｓ８１：Ｎｏ）には、フローは終了する。
【００９２】
ステップＳ８２では、認証画像形成制御部３２６は、入力されたＰＩＮに対応する「ログイン名」を対応表ＣＴから取得する。
そして、認証画像形成制御部３２６は、記憶部３２３に記憶されている印刷データＰＤの識別情報ＴＤ０４を確認して、取得された「ログイン名」と対応（例えば、一致）する識別情報ＴＤ０４を持つ印刷データＰＤが存在するか否かを判断する（Ｓ８３）。そのような印刷データＰＤが存在する場合（Ｓ８３：Ｙｅｓ）には、処理はステップＳ８４に進み、そのような印刷データＰＤが存在しない場合（Ｓ８３：Ｎｏ）にはフローは終了する。
【００９３】
ステップＳ８４では、認証画像形成制御部３２６は、表示操作部１２２を制御することで、印刷ジョブが検出されたことを通知する画面を表示させる。
【００９４】
（代替認証印刷の実行）
図３１に示されている待機画面Ｉ０１が表示操作部１２２に表示されている状態で、操作パネル１１３（図３参照）の設定キー１１３ｄが押下されると、表示操作部１２２に表示されている画面は、図３１に示されている機能設定画面Ｉ０６へ遷移する。
図３１に示されている機能設定画面Ｉ０６において、上下キー１１３ｂ、１１３ｃを押下することで、ユーザは、「管理者メニュー」、「プリンタ調整」、「代替認証印刷」及び「課金レポート印刷」を選択することができる。そして、図３１に示されている機能設定画面Ｉ０６において、「代替認証印刷」にフォーカスが当てられた状態で設定キー１１３ｄが押下されると、表示操作部１２２に表示されている画面は、図３１に示されているＰＩＮ入力画面Ｉ０９へ遷移する。
図３１に示されているＰＩＮ入力画面Ｉ０９において、ＰＩＮが入力された状態で、設定キー１１３ｄが押下されると、表示操作部１２２に表示されている画面は、図３１に示されているジョブ検出画面Ｉ０２へ遷移する。
表示操作部１２２に、図３１に示されているジョブ検出画面Ｉ０２が表示されている状態で、操作パネル１１３の上下キー１１３ｂ、１１３ｃを押下することで、ユーザは「印刷実行」と「ジョブ削除」とを選択することができる。
そして、図３１に示されているジョブ検出画面Ｉ０２において「印刷実行」にフォーカスが当った状態で設定キー１１３ｄが押下されると、認証画像形成制御部３２６は、図３０のステップＳ８３で検出された印刷データＰＤを画像形成部１２１に送り、印刷を実行させる。このような場合には、認証画像形成制御部３２６は、表示操作部１２２に表示されている画面を、図３１に示されているジョブ検出画面Ｉ０２から、印刷中画面Ｉ０３に遷移させる。
一方、図３１に示されているジョブ検出画面Ｉ０２において「ジョブ削除」にフォーカスが当った状態で設定キー１１３ｄが押下されると、認証画像形成制御部１２６は、表示操作部１２２に表示されている画面を、図３１に示されているジョブ検出画面Ｉ０２から、図３１に示されている削除確認画面Ｉ０４に遷移させる。
表示操作部１２２に、図３１に示されている削除確認画面Ｉ０４が表示されている状態で、操作パネル１１３の上下キー１１３ｂ、１１３ｃを押下することで、ユーザは「はい」（削除に同意）と「いいえ」（削除に非同意）とを選択することができる。
そして、図３１に示されている削除確認画面Ｉ０４において「はい」にフォーカスが当った状態で設定キー１１３ｄが押下されると、認証画像形成制御部３２６は、図３０のステップＳ８３で検出された印刷データＰＤを削除する。このような場合には、認証画像形成制御部３２６は、表示操作部１２２に表示されている画面を、図３１に示されている削除確認画面Ｉ０４から、削除中画面Ｉ０５に遷移させる。
なお、図３０のステップＳ８１又はＳ８３でＮｏと判断され、フローが終了した場合には、図３１に示されている待機画面Ｉ０１の表示が維持される。
【００９５】
例えば、記憶部３２３に記憶されている印刷データＰＤから抽出された、識別情報ＴＤ０４、作成者ＴＤ０５及び作成時刻ＴＤ０６が図１６に示されている一覧表のようになっているとする。このような状態で、表示操作部１２２に「１２３４５６」の「ＰＩＮ」が入力された場合、図２４に示されている対応表ＣＴから、「Ｊｉｒｏ  Ｓａｔｏ」の「ログイン名」が取得される。このため、図１６に示すように、識別情報ＴＤ０４として「Ｊｉｒｏ  Ｓａｔｏ」を持つＩＤ＝１及び４の印刷データＰＤが印刷対象となる。
【００９６】
以上のように実施の形態３に係る画像形成システム３００によれば、プリンタドライバ部１３３において印刷出力の委譲先を指定可能にすることにより、印刷出力を別の利用者に委譲することが可能となる。この時、ユーザは、ＰＩＮを用いて認証を行うこともできるため、より利便性が高まる。
【００９７】
実施の形態４．
以下、実施の形態４について説明する。
【００９８】
（構成の説明）
図１に示されているように、実施の形態４に係る画像形成システム４００は、画像形成装置４１０と、利用者ＰＣ１３０と、管理者ＰＣ３５０と、認証サーバ１７０とを備える。実施の形態４に係る画像形成システム４００は、画像形成装置４１０において、実施の形態３に係る画像形成システム３００と異なっている。なお、実施の形態４における画像形成装置４１０のハードウェア構成は、図２に示されている画像形成装置１１０のハードウェア構成と同様である。
【００９９】
図３２は、画像形成装置４１０の機能構成を概略的に示すブロック図である。
実施の形態４における画像形成装置４１０は、読み取り部１２０と、画像形成部１２１と、表示操作部１２２と、記憶部４２３と、通信部１２４と、データ受信処理部３２５と、認証画像形成制御部４２６とを備える。実施の形態４における画像形成装置４１０は、記憶部４２３に記憶されるデータの点、認証画像形成制御部４２６での処理の点、並びに、計時部４２８がさらに設けられている点において、実施の形態３における画像形成装置３１０と異なっている。
【０１００】
記憶部４２３は、実施の形態３と同様に、印刷形式の指定を示す情報ＳＤと、印刷データＰＤ、課金データＣＤ及び対応表ＣＴを記憶するほか、実施の形態３とは異なり、代替認証可能期限情報ＴＩを記憶する。なお、代替認証可能期限情報ＴＩは、ＨＤＤ１１５内で永続的に保存されるのが望ましい。
【０１０１】
代替認証可能期限情報ＴＩは、ＰＩＤを用いて認証を行う代替認証印刷（代替認証画像形成）の実施可能な期限を定義するデータである。
図３３は、代替認証可能期限情報ＴＩの一例を示す概略図である。代替認証可能期限情報ＴＩは、作成時間帯欄ＴＩ１と、代替認証可能期限欄ＴＩ２とを有する。
作成時間帯欄ＴＩ１は、印刷データＰＤの作成時間帯を格納する。
代替認証可能期限欄ＴＩ２は、作成時間帯欄ＴＩ１内に作成された印刷データＰＤをＰＩＤを用いて認証を行う代替認証を行うことができる期限を示す。この期限の始期は、例えば、印刷データＰＤの作成時刻ＴＤ０６である。
図３３に示すように、代替認証可能期限情報ＴＩは、予め定められた時間帯毎に予め定められた期限を示す期限情報である。
【０１０２】
図３２に戻り、認証画像形成制御部４２６は、読み取り部１２０で読み取られたＩＣカード識別情報に対応するログイン名を対応表ＣＴから特定し、特定されたログイン名と対応（例えば、一致）する「識別情報」を持つ印刷データＰＤの印刷及び削除を制御する。また、認証画像形成制御部３２６は、表示操作部１２２を介して入力されたＰＩＮに対応するログイン名を対応表ＣＴから特定し、特定されたログイン名と対応（例えば、一致）する「識別情報」を持つ印刷データＰＤを特定する。そして、認証画像形成制御部３２６は、特定された印刷データＰＤの作成時刻ＴＤ０６から現在までの時間が、特定された印刷データＰＤの作成時刻ＴＤ０６に対応する代替認証可能期限内である場合には、特定された印刷データＰＤの印刷又は削除を行う。
【０１０３】
計時部４２８は、時間を計測する。計時部４２８で計測された時間を現在の時刻とする。なお、計時部４２８は、図２に示されているＲＴＣ１１４で実現することができる。
【０１０４】
（動作の説明）
実施の形態４に係る画像形成システム４００での動作は、実施の形態３における画像形成システム３００での動作とほぼ同様であるが、代替認証印刷の印刷データＰＤを検索する処理が異なっているため、以下、この処理について説明する。
【０１０５】
（代替認証印刷の印刷データ検索）
図３４は、認証画像形成制御部４２６の代替認証印刷時の印刷データ検索処理を示すフローチャートである。図３４に示されているフローチャートは、例えば、表示操作部１２２が代替認証印刷の開始指示の入力を受けた場合に開始される。
【０１０６】
認証画像形成制御部４２６は、表示操作部１２２を介して、ＰＩＮの入力を受け付ける（Ｓ９０）。
【０１０７】
認証画像形成制御部３２６は、入力されたＰＩＮに対応する「ログイン名」が対応表ＣＴに記憶されているか否かを判断する（Ｓ９１）。そのような「ログイン名」が記憶されている場合（Ｓ９１：Ｙｅｓ）には、処理はステップＳ９２に進む。そのような「ログイン名」が記憶されていない場合（Ｓ９１：Ｎｏ）には、フローは終了する。
【０１０８】
ステップＳ９２では、認証画像形成制御部４２６は、入力されたＰＩＮに対応する「ログイン名」を対応表ＣＴから取得する。
そして、認証画像形成制御部４２６は、記憶部４２３に記憶されている印刷データＰＤの識別情報ＴＤ０４を確認して、取得された「ログイン名」と対応（例えば、一致）する識別情報ＴＤ０４を持つ印刷データＰＤが存在するか否かを判断する（Ｓ９３）。そのような印刷データＰＤが存在する場合（Ｓ９３：Ｙｅｓ）には、処理はステップＳ９４に進み、そのような印刷データＰＤが存在しない場合（Ｓ９３：Ｎｏ）にはフローは終了する。
【０１０９】
ステップＳ９４では、認証画像形成制御部４２６は、ステップＳ９３で検出された印刷データＰＤが代替認証可能期限内のものであるか否かを判断する。例えば、認証画像形成制御部４２６は、代替認証可能期限情報ＴＩを参照することで、検出された印刷データＰＤの作成時刻ＴＤ０６が含まれる作成時間帯に対応する代替認証可能期限を特定する。認証画像形成制御部４２６は、計時部４２８から現在の時刻を取得する。そして、認証画像形成制御部４２６は、検出された印刷データＰＤの作成時刻ＴＤ０６から現在の時刻までの経過時間が、特定された代替認証可能期限内であるか否かを判断する。検出された印刷データＰＤが代替認証可能期限内のものである場合（Ｓ９４：Ｙｅｓ）には、処理はステップＳ９５に進み、検出された印刷データＰＤが代替認証可能期限内のものではない場合（Ｓ９４：Ｎｏ）には、フローは終了する。
【０１１０】
ステップＳ９５では、認証画像形成制御部４２６は、表示操作部１２２を制御することで、印刷ジョブが検出されたことを通知する画面を表示させる。なお、検出された印刷ジョブを実行する際の動作は、図３１を用いて説明した実施の形態３での動作と同様である。
【０１１１】
例えば、記憶部４２３に記憶されている印刷データＰＤから抽出された、識別情報ＴＤ０４、作成者ＴＤ０５及び作成時刻ＴＤ０６が図１６に示されている一覧表のようになっているとする。このような状態で、表示操作部１２２に「１２３４５６」の「ＰＩＮ」が入力された場合、図２４に示されている対応表ＣＴから、「Ｊｉｒｏ  Ｓａｔｏ」の「ログイン名」が取得される。このため、図１６に示すように、識別情報ＴＤ０４として「Ｊｉｒｏ  Ｓａｔｏ」を持つＩＤ＝１及び４の印刷データＰＤが印刷対象となる。図１６によれば、ＩＤ＝１の印刷データＰＤの作成時刻ＴＤ０６は、「９：１２：００」すなわち９時１２分００秒であり、ＩＤ＝４の印刷データＰＤの作成時刻ＴＤ０６は、「１２：１５：３０」すなわち１２時１５分３０秒である。図３３に示されている代替認証可能期限情報ＴＩによると、ＩＤ＝１の印刷データＰＤの作成時刻（９：１２：００）は、「８：００：０１〜１２：００：００」の「作成時間帯」に含まれるため、その「代替認証可能期限」は、作成時刻ＴＤ０６から「００：１０：００」すなわち１０分間である。従って、ＩＤ＝１の印刷データＰＤは、「９：２２：００」までは代替認証可能である。同様に、ＩＤ＝４の印刷データＰＤの作成時刻ＴＤ０６は、「１２：１５：３０」であるので、図３３に示されている代替認証可能期限情報ＴＩによると、「１２：００：０１〜１３：００：００」の「作成時間帯」に含まれる。従って、ＩＤ＝４の印刷データＰＤの「代替認証可能期限」は、作成時刻から「０１：００：００」すなわち１時間である。つまり、ＩＤ＝４の印刷データＰＤは、「１３：１５：３０」までは代替認証可能である。計時部４２８から取得された現在の時刻が１３時ちょうどであった場合、ＩＤ＝１の印刷データＰＤは代替認証可能期限外であり、ＩＤ＝４の印刷データＰＤは代替認証可能期限内である。よって、ＩＤ＝４の印刷データのみが印刷対象となる。
【０１１２】
なお、代替認証可能期限情報ＴＩについては、例えば、表示操作部１２２を介して、変更することもできる。また、代替認証可能期限情報ＴＩは、管理者ＰＣ３５０で作成されて、画像形成装置４１０に記憶されてもよい。
【０１１３】
代替認証印刷は、ＩＣカードを忘れた時の非常手段として便利な機能であるが、ＰＩＮの漏洩などを考慮するとセキュリティの低い機能である。
以上のように、実施の形態４によれば、表示操作部１２２からのＰＩＮ入力による代替認証印刷に期限を設けることにより、委譲先ではない利用者による間違った印刷出力を低減するという効果が得られる。
【０１１４】
実施の形態１〜４において、送信データＴＤ及び印刷データＰＤの暗号化については言及されていないが、これらが暗号化されていてもよい。例えば、「識別情報」を暗号鍵として、プリンタドライバ部１３３が送信データＴＤを暗号化し、認証画像形成制御部１２６、２２６、３２６、４２６が印刷データＰＤを復号してもよい。
【０１１５】
実施の形態１〜４において、認証媒体としてＩＣカードのような非接触型カードを使用する例について説明したが、ＵＳＢメモリ等のＵＳＢデバイスで代用することも可能である。
【０１１６】
実施の形態１〜４では、画像形成装置１１０、２１０、３１０、４１０として印刷機能のみを持つプリンタに適用した例を説明したが、印刷機能に加えてスキャン機能やファックス機能等を持つ複合機にも、本発明は適用可能である。
【符号の説明】
【０１１７】
１００，２００，３００，４００  画像形成システム、  １１０，２１０，３１０，４１０  画像形成装置、  １１１  カードリーダ、  １１２  プリント装置、  １１３  操作パネル、  １１４  ＲＴＣ、  １１５  ＨＤＤ、  １１６  ＮＩＣ、  １１７  ＲＯＭ、  １１８  ＲＡＭ、  １１９  ＣＰＵ、  １２０  読み取り部、  １２１  画像形成部、  １２２  表示操作部、  １２３，３２３，４２３  記憶部、  １２４  通信部、  １２５，３２５  データ受信処理部、  １２６，２２６，３２６，４２６  認証画像形成制御部、  １２７  課金レポート画像形成制御部、  １３０  利用者ＰＣ、  １３１  通信部、  １３２  ユーザ認証処理部、  １３３  プリンタドライバ部、  １３４  記憶部、  １３５  入力部、  １３６  表示部、  １５０，３５０  管理者ＰＣ、  ３５１  通信部、  ３５２  対応表作成ツール、  ３５３  記憶部、  ３５４  入力部、  ３５５  表示部、  １７０  認証サーバ、  １８０  ネットワーク、  １９０  情報処理装置、  １９１  ＮＩＣ、  １９２  ＨＤＤ、  １９３  ＲＯＭ、  １９４  ＲＡＭ、  １９５  ＣＰＵ、  １９６  入力装置、  １９７  表示装置。
【図１】
0005847139.tif 000002
【図２】
0005847139.tif 000003
【図３】
0005847139.tif 000004
【図４】
0005847139.tif 000005
【図５】
0005847139.tif 000006
【図６】
0005847139.tif 000007
【図７】
0005847139.tif 000008
【図８】
0005847139.tif 000009
【図９】
0005847139.tif 000010
【図１０】
0005847139.tif 000011
【図１１】
0005847139.tif 000012
【図１２】
0005847139.tif 000013
【図１３】
0005847139.tif 000014
【図１４】
0005847139.tif 000015
【図１５】
0005847139.tif 000016
【図１６】
0005847139.tif 000017
【図１７】
0005847139.tif 000018
【図１８】
0005847139.tif 000019
【図１９】
0005847139.tif 000020
【図２０】
0005847139.tif 000021
【図２１】
0005847139.tif 000022
【図２２】
0005847139.tif 000023
【図２３】
0005847139.tif 000024
【図２４】
0005847139.tif 000025
【図２５】
0005847139.tif 000026
【図２６】
0005847139.tif 000027
【図２７】
0005847139.tif 000028
【図２８】
0005847139.tif 000029
【図２９】
0005847139.tif 000030
【図３０】
0005847139.tif 000031
【図３１】
0005847139.tif 000032
【図３２】
0005847139.tif 000033
【図３３】
0005847139.tif 000034
【図３４】
0005847139.tif 000035